(57)【要約】      （修正有）【課題】床に置いておいたままでも遊技球を泥棒されることなく、かつ持ち運ぶ際に遊技球こぼしを抑制することができる遊技媒体収容箱及び遊技媒体収容箱ユニットを提供する。【解決手段】周壁部２２と底壁部２１とを有する収容部２と、その開口縁から外側に延出する把手部３とを備える遊技媒体収容箱１であって、開口側から見て周縁部上で交差する一対の直線上に、その交差位置を挟み交差位置までの離間距離をすべて等しくするそれぞれの位置において、開口縁の表面から突出し又は陥没する係合部５が配置され、これらの係合部のうち、一方の直線上に位置する第一の係合部には係合凸部５１がそれぞれ形成されるとともに、他方の直線上に位置する第二の係合部には係合凹部５２がそれぞれ形成され、その係合凸部５１と係合凹部５２との大きさを比較したとき、係合凸部５１の先端の外周形状が係合凹部５２の開口先端の内周形状に含まれる。【選択図】図５
0003127961.tif 000002
【実用新案登録請求の範囲】
【請求項１】
遊技媒体を貯留するために一体形成された周壁部と底壁部とを有する収容部と、その収容部の周壁部の開口縁から外側に延出する把手部とを備える遊技媒体収容箱であって、
前記開口縁を含む周縁部には、開口側から見てその周縁部上で交差する一対の直線上に、その交差位置を挟み交差位置までの離間距離をすべて等しくするそれぞれの位置において、前記開口縁の表面から突出し又は陥没する係合部が配置され、
これらの係合部のうち、一方の直線上に位置する第一の係合部には、前記開口縁の表面から高さ方向に沿って所定高さで突出する係合凸部がそれぞれ形成されるとともに、
他方の直線上に位置する第二の係合部には、前記開口縁の表面から前記高さ方向に沿って陥没する又は突出高さが前記係合凸部よりも小さい部分を内側に含んで前記高さ方向に沿って環状に突出する係合凹部がそれぞれ形成され、
前記第一の係合部の係合凸部と前記第二の係合部の係合凹部との大きさを比較したとき、前記係合凸部の先端の外周形状が前記係合凹部の開口先端の内周形状に含まれることを特徴とする遊技媒体収容箱。
【請求項２】
前記係合部はいずれも前記把手部に配置され、
そのうち前記係合凹部は、前記係合凸部の前記開口縁の表面からの突出高さと同等の段差部が内側に形成されるように前記高さ方向に沿って環状部が突出形成されている請求項１に記載の遊技媒体収容箱。
【請求項３】
前記第一の係合部の係合凸部の先端には、前記開口縁の表面に平行な平坦面が形成される一方、
前記第二の係合部の係合凹部を構成する前記段差部の底面と、前記環状部の先端面は、それぞれ前記開口縁の表面に平行な平坦面に形成されている請求項２に記載の遊技媒体収容箱。
【請求項４】
請求項１ないし３のいずれか１項に記載の遊技媒体収容箱が２個で一組の遊技媒体収容箱ユニットを構成し、
一方の遊技媒体収容箱の収容部の開口が上方を向くように載置した後、一方の遊技媒体収容箱の第一の係合部と他方の遊技媒体収容箱の第二の係合部とを係合させるとともに、一方の遊技媒体収容箱の第二の係合部と他方の遊技媒体収容箱の第一の係合部とを係合して、双方の収容部の開口が互いに対向するように合掌状に組合せ、一方の遊技媒体収容箱の収容部を他方の遊技媒体収容箱の収容部で塞ぐように載置して、一方の遊技媒体収容箱の収容部に貯留した遊技媒体に蓋をすることを特徴とする遊技媒体収容箱ユニット。
【請求項５】
前記第一の係合部に形成された係合凸部と前記第二の係合部に形成された係合凹部とを係合することにより、前記２個の遊技媒体収容箱が合掌状に組合せられている請求項５に記載の遊技媒体収容箱ユニット。
【考案の詳細な説明】
【技術分野】
【０００１】
本考案は、パチンコ機やパチスロ機などの遊技機における遊技球やメダルを収容するための遊技媒体収容箱及び遊技媒体収容箱ユニットに関する。
【背景技術】
【０００２】
一般に、パチンコ機やパチスロ機などの遊技機における遊技球やメダルなどの遊技媒体を収容する遊技媒体収容箱において、上面に開口を有しその開口から遊技媒体が貯留される収容部と、その収容部上縁部から外側に延出する両側の把手部とを一体的に備えた箱が知られている。このような遊技媒体収容箱を改良したものとして、パチンコ機の玉受け皿より落下する遊技球（賞球）等による衝撃を緩和する目的で収容部の底壁の内部を中空に形成したものや（特許文献１参照）、パチンコ機のハンドル操作をする際に手を載せる位置を決めやすくする目的で把手部の上面に滑り止め面を形成したものなどがある（特許文献２参照）。
【特許文献１】特開２００２−１９１８４９号公報
【特許文献２】実用新案登録第３０９３６３１号
【０００３】
特許文献１及び２等のように、遊技媒体収容箱においても種々の改良が行われており、実際に使用されるパチンコ遊技場において、遊技者或いは従業員にとっても使い勝手がよくなってきている。
【０００４】
ところで、パチンコ遊技場において、通常、遊技者は遊技媒体収容箱が遊技球等で満杯になると、遊技者自身の足元の床にその遊技媒体収容箱を置くことが多い。そして他の遊技者はその床に置かれた遊技媒体収容箱（出玉状況）を一つの目安として、その店舗状況を把握して自分が実際に遊技するか否かを判断する場合がある。すなわち、店舗側にとっては、より多くの集客を望むため、他の遊技者に強い印象を与える必要があり、そのような効果を具備する遊技媒体収容箱が望まれている。
【０００５】
また、遊技者は、遊技中に食事やトイレなどで席から離れるときがあり、そのときにも足元の床に置かれた遊技球等で満杯になった遊技媒体収容箱は、そのままの状態で置かれていることが多い。この状況において、パチンコ等の特性上遊技者は席を立ち替り入れ替り移動することがあり、一般的に隣に置いてある遊技媒体収容箱の持ち主を認識するのは困難であるため、球泥棒される危険性がある。
【０００６】
また、遊技媒体収容箱は、遊技球等が満杯の状態であるとかなりの重さがあり、特に力の弱い者がその遊技媒体収容箱を置くときや持ち上げるとき、或いは持ち運ぶときに、バランスを崩して遊技球をこぼしてしまうおそれがある。
【考案の開示】
【考案が解決しようとする課題】
【０００７】
本考案は上記実情に鑑みなされたものであり、遊技球を泥棒されることなく、かつ持ち運ぶ際に遊技球こぼしを抑制することができる遊技媒体収容箱及び遊技媒体収容箱ユニットを提供することにある。
【課題を解決するための手段及び考案の効果】
【０００８】
上記課題を解決するために、本考案の遊技媒体収容箱は、
遊技媒体を貯留するために一体形成された周壁部と底壁部とを有する収容部と、その収容部の周壁部の開口縁から外側に延出する把手部とを備える遊技媒体収容箱であって、
開口縁を含む周縁部には、開口側から見てその周縁部上で交差する一対の直線上に、その交差位置を挟み交差位置までの離間距離をすべて等しくするそれぞれの位置において、開口縁の表面から突出し又は陥没する係合部が配置され、
これらの係合部のうち、一方の直線上に位置する第一の係合部には、開口縁の表面から高さ方向に沿って所定高さで突出する係合凸部がそれぞれ形成されるとともに、
他方の直線上に位置する第二の係合部には、開口縁の表面から高さ方向に沿って陥没する又は突出高さが係合凸部よりも小さい部分を内側に含んで高さ方向に沿って環状に突出する係合凹部がそれぞれ形成され、
第一の係合部の係合凸部と第二の係合部の係合凹部との大きさを比較したとき、係合凸部の先端の外周形状が係合凹部の開口先端の内周形状に含まれることを特徴とする。
【０００９】
また、本考案の遊技媒体収容箱は、見方を換えれば、
遊技媒体を貯留するために一体形成された周壁部と底壁部とを有する収容部と、その収容部の周壁部の開口縁から外側に延出する把手部とを備える遊技媒体収容箱であって、
開口縁を含む周縁部には、開口側から見てその周縁部を含む面上に設定された定点から等距離にある２点と、その定点に関して点対称となる各点とを直線で結ぶことにより、定点で交差する一対の直線上で交差位置を挟むそれぞれの点位置において、開口縁の表面から突出し又は陥没する係合部が配置され、
これらの係合部のうち、一方の直線上に位置する第一の係合部には、開口縁の表面から高さ方向に沿って所定高さで突出する係合凸部がそれぞれ形成されるとともに、
他方の直線上に位置する第二の係合部には、開口縁の表面から高さ方向に沿って陥没する又は突出高さが係合凸部よりも小さい部分を内側に含んで高さ方向に沿って環状に突出する係合凹部がそれぞれ形成され、
第一の係合部の係合凸部と第二の係合部の係合凹部との大きさを比較したとき、係合凸部の先端の外周形状が係合凹部の開口先端の内周形状に含まれることが特徴ともなる。
【００１０】
上記本考案のごとく、収容部の開口縁を含む周縁部には、対角的に対をなす第一の係合部（係合凸部）の組と第二の係合部（係合凹部）の組とが都合２組形成されており、それら係合部は、各組内の係合部同士を結ぶ直線（周縁部上）において、その交差位置を挟み交差位置までの離間距離がすべて等しくなる位置に配置されている。そして、その第一の係合部の係合凸部と第二の係合部の係合凹部との大きさを比較したとき、その係合凸部の先端の外周形状が係合凹部の開口先端の内周形状に含まれるように構成されている。このように、それぞれの係合部がある定点に関して点対称となるように配置されているので、２個の遊技媒体収容箱を用いて、双方の収容部の開口を互いに対向するように合掌状に重ね合わせたとき、一方の遊技媒体収容箱の第一の係合部と他方の遊技媒体収容箱の第二の係合部とを係合させ、かつ、一方の遊技媒体収容箱の第二の係合部と他方の遊技媒体収容箱の第一の係合部とを係合させることができる。
【００１１】
すなわち、一方の遊技媒体収容箱の収容部の開口が上方を向くように載置した後、これによって、双方の収容部の開口が互いに対向するように合掌状に重ね合わせられるので、一方の遊技媒体収容箱の収容部を他方の遊技媒体収容箱の収容部で塞ぐように載置して、一方の遊技媒体収容箱の収容部に貯留した遊技媒体に蓋をすることができる。これにより、足元の床に蓋をした状態で遊技媒体（遊技媒体収容箱）を置くことができるので、例えば食事やトイレなどで遊技者が席から離れたときの球泥棒対策となる。さらに、蓋をした状態で遊技媒体収容箱を置くことや持ち上げること、或いは持ち運ぶことができるので、その蓋によりバランスを崩しても遊技媒体をこぼす心配がなくなる。
【００１２】
なお、係合凸部（第一の係合部）の組及び係合凹部（第二の係合部）の組がそれぞれ点対称（対角的）で形成されているので、１８０度どちらの向きからでも重ねることができる。また、係合凸部と係合凹部とを係合させればよいので、２個の遊技媒体収容箱を用いた合掌（対面）状の重ね合わせ配置が容易に行なえる。そして、係合凹部に挿入した係合凸部を受け止めることによって、２個の遊技媒体収容箱による合掌（対面）状の重ね合わせ状態が安定する。
【００１３】
また、このような遊技媒体収容箱では、
係合部はいずれも把手部に配置され、
そのうち係合凹部は、係合凸部の開口縁の表面からの突出高さと同等の段差部が内側に形成されるように高さ方向に沿って環状部が突出形成する構成とすることができる。これにより、係合凹部が、環状に突出して形成されているので、係合部を把手部に配置する際にその把手部に陥没する部分が形成されないので強度を損ねる恐れがなくなり、把手部の中で自由度を高くして形成位置を定めることができる。さらに、係合凹部は環状に突出形成されるので、その開口（段差部）に係合される係合凸部を多方向で位置規制できる。
【００１４】
また、第一の係合部の係合凸部の先端には、開口縁の表面に平行な平坦面が形成される一方、
第二の係合部の係合凹部を構成する段差部の底面と、環状部の先端面は、それぞれ開口縁の表面に平行な平坦面に形成することができる。これにより、これらの平坦面が形成されることによって、係合凹部は係合凸部を面接触で受け止めることができ、２個の遊技媒体収容箱による合掌（対面）状に重ね合わせときにさらに姿勢が安定する。
【００１５】
上記課題を解決するために、本考案の遊技媒体収容箱ユニットは、
上記作用効果を有する遊技媒体収容箱が２個で一組の遊技媒体収容箱ユニットを構成し、
一方の遊技媒体収容箱の収容部の開口が上方を向くように載置した後、一方の遊技媒体収容箱の第一の係合部と他方の遊技媒体収容箱の第二の係合部とを係合させるとともに、一方の遊技媒体収容箱の第二の係合部と他方の遊技媒体収容箱の第一の係合部とを係合して、双方の収容部の開口が互いに対向するように合掌状に組合せ、一方の遊技媒体収容箱の収容部を他方の遊技媒体収容箱の収容部で塞ぐように載置して、一方の遊技媒体収容箱の収容部に貯留した遊技媒体に蓋をすることを特徴とする。これにより、上記作用効果を有する遊技媒体収容箱が２個一組の遊技媒体収容箱ユニットとして構成されたときに、その互いに具備する構成による効果が相乗的に発揮される。
【００１６】
また、このような遊技媒体収容箱ユニットでは、
第一の係合部に形成された係合凸部と第二の係合部に形成された係合凹部とを係合することにより、２個の遊技媒体収容箱が合掌状に組合せることができる。
【考案を実施するための最良の形態】
【００１７】
以下、添付の図面を参照しつつ本考案の実施形態について説明する。図１及び図２は、本考案の実施形態に係る遊技球収容箱１（遊技媒体収容箱）を上下それぞれから見た斜視図、図３ないし図６は、本考案の実施形態に係る遊技球収容箱１を示す正面図、側面図、平面図、及び底面図、図７ないし図１０は、図５の切断位置にそれぞれ対応する断面図（拡大断面図）である。なお、本実施形態において箱状の部材は、開口側を上側とし、その逆を下側とする。図１ないし図６に示すように、本実施形態の遊技球収容箱（以下、単に収容箱ともいう）１は、パチンコ機やパチスロ機等の遊技機における遊技球やメダルなどの遊技媒体を収容するために共用できるが、以下の説明ではパチンコ球（以下、単に玉ともいう）を収容する場合について述べることとする。
【００１８】
収容箱１は、上面に開口を有しその開口から玉が収容（貯留）される収容部２と、その収容部２の周壁部２２の上縁から外側に延出する両側の把手部３，３と、収容部２の底壁部２１で収容部２を支持する脚部４とを一体的に備えている。なお、収容箱１（本体）の材質としては、透明、半透明或いは不透明のＰＣ（ポリカーボネート）、ＡＢＳ樹脂（アクリロニトリル・スチレン）、ＰＥＴ樹脂（ポリエチレンテレフタレート）、ＡＳ（アクリロニトリル・スチレン）、ＰＳ（ポリスチレン）などを使用することができ、強度や耐衝撃性がある合成樹脂材料を使用して一体的に成形されている。
【００１９】
収容部２は、平面視矩形形状をなす底壁部２１とその底壁部２１の周縁から立ち上がる周壁部２２とを備えて上面に開口を有する形で形成されている。その周壁部２２は、底壁部２１の長手方向の両側に位置する第１周壁部２２ａ，２２ａと幅方向（前後方向）の両側に位置する第２周壁部２２ｂ，２２ｂとで構成され（以下、まとめて周壁部２２ともいう）、少なくとも第１周壁部２２ａは、下端側より上端側の方が拡開するように傾斜して形成されている（図３参照）。また、周壁部２２の開口縁内側には、環状内溝２３が形成されており、玉こぼれ防止の役目を担う。
【００２０】
底壁部２１は、図７及び図８に示すように極僅かながら一箇所に向かって傾斜（下り勾配）して形成されており、玉を貯留したときにその傾斜に沿って一箇所に集まるようにしている。なお、本実施形態においては図５中右下方向に向かって下り勾配が形成されている。すなわち、その傾斜に沿って玉が一箇所に集まるので、玉を取り出しやすくなる。そして、後述する貫通孔４１ｃ（アース用孔）に向かわせることで、より確実に貫通孔４１ｃに玉を配置することができる。また、底壁部２１には、４隅で対角的に対をなす第一の脚部（以下、第１脚部という）４１の組と第二の脚部（以下、第２脚部という）４２の組とが都合２組形成されており（以下、まとめて脚部４ともいう）、その第１脚部４１及び第２脚部４２の外側には、それらの脚部４を取り巻く形で底壁部２１の周縁に沿って、収容部２の底壁部２１及び周壁部２２と一体形成されたスカート部２４が配置されている。
【００２１】
具体的には、図６に示すように、底面視（平面視；開口側）における底壁部２１上で例えば点Ｏ２で交差する一対の仮想直線Ｘ，Ｙ上に、その交差位置（点Ｏ２）を挟み交差位置までの離間距離（Ｏ２Ｐｘ間の距離ｄｘ，Ｏ２Ｐｙ間の距離ｄｙ）をすべて等しく（ｄｘ＝ｄｙ）するそれぞれの位置において脚部４（第１脚部４１，第２脚部４２）が配置されている。また、見方を換えれば、底面視（開口側）における底壁部２１上に設定された定点Ｏ２から等距離ｄｘ，ｄｙ（ｄｘ＝ｄｙ）にある２点と、その定点Ｏ２に関して点対称となる各点とを仮想直線Ｘ，Ｙで結ぶことにより、定点Ｏ２で交差する一対の仮想直線Ｘ，Ｙ上で交差位置を挟むそれぞれの点Ｐｘ，Ｐｙ位置において脚部４（第１脚部４１，第２脚部４２）が配置されている。
【００２２】
第１脚部４１，４１は、上記仮想直線Ｘ上で点Ｏ２を挟む位置で対をなして形成されており、図９に示すように、平板形態で構成された底壁部２１に対して、その底壁部２１を基端側として先端側がその底壁部２１よりも外側に膨出しつつ迂回して底壁部２１に戻る袋状に膨出した方向変換部４１ａを有し構成されている。そして、その第１脚部４１（方向変換部４１ａ）の先端部４１ｂには膨出方向に沿って貫通する貫通孔４１ｃが設けられている。また方向変換部４１ａは、基端側から先端側に向かうにつれて縮径するすり鉢形状で形成されている（具体的には、膨出方向と直交する仮想断面に投影したときの開口面積が、収容部２の底壁部２１と接続する基端側から先端側に向かうにつれて縮小するすり鉢形状に形成されている）。これにより、収容部２に貯留された玉のうち複数の玉が方向変換部４１ａによって形成された内部側の窪みに流入可能である。なお、方向変換部４１ａ（第１脚部４１）は、収容部２の底壁部２１に接続する基端側と外側に膨出する先端側とが均等な肉厚で形成されている。これにより、収容箱１を合成樹脂で一体成形する場合にも、合成樹脂が冷却固化する際の方向変換部４１ａの収縮を均一化することができ、ひけ等が発生し難い。
【００２３】
貫通孔４１ｃは、底面視円形形状（図５及び図６参照）をなして玉の直径（球径）よりも小さい内径で形成されており、方向変換部４１ａに流入した複数の玉のうち、通常最初の１個目をその一部が外部に露出する状態で受け止めて保持することができる。すなわち、貫通孔４１ｃは、収容部２に貯留された玉に帯電する静電気をアースするためのアース用孔である。
【００２４】
第２脚部４２，４２は、上記仮想直線Ｙ上で点Ｏ２を挟む位置で対をなして形成されており、図９に示すように、平板形態で構成された底壁部２１に対して、その底壁部２１を基端側として先端側がその底壁部２１よりも外側に膨出しつつ迂回して底壁部２１に戻る袋状に膨出した方向変換部４２ａを有し構成されている。そして、その方向変換部４２ａ（第２脚部４２）の先端部４２ｂには膨出方向に突出する突出部４２ｃが設けられている。また方向変換部４２ａは、基端側から先端側に向かうにつれて縮径するすり鉢形状で形成されている（具体的には、膨出方向と直交する仮想断面に投影したときの開口面積が、収容部２の底壁部２１と接続する基端側から先端側に向かうにつれて縮小するすり鉢形状に形成されている）。これにより、方向変換部４２ａを収容部２の底壁部２１に接続する基端側と外側に膨出する先端側とを均等な肉厚で形成することができ、収容箱１を合成樹脂で一体成形する場合にも、合成樹脂が冷却固化する際の方向変換部４１ａの収縮を均一化することができ、ひけ等が発生し難い。
【００２５】
突出部４２ｃは、底面視円形形状の筒状又は棒状形態（軸状形態；図５及び図６参照）をなし、その先端の外周形状が第１脚部４１に形成された貫通孔４１ｃの開口先端の内周形状に含まれるように形成されている。すなわち、貫通孔４１ｃの内径よりも小さい外径で形成されている。
【００２６】
ここで、第１脚部４１（方向変換部４１ａ）の先端部４１ｂにおける端面４１ｄは、貫通孔４１ｃの周囲を取り巻く形で、収容部２の底壁部２１外面に平行な平坦面として形成されている。また、方向変換部４２ａ（第２脚部４２）の先端部４２ｂにおける端面４２ｄ（突出部４２ｃの基端となる面）は、突出部４２ｃの周囲を取り巻く形で、収容部２の底壁部２１外面に平行な平坦面として形成されている。なお、本考案において底壁部２１外面に平行とは、収容箱１を水平な面に載置したときに、その水平面と底壁部２１外面が平行である場合をいい、底壁部２１外面が傾斜した場合には必ずしもその外面に平行というものではなく、換言すれば、上記水平な面に平行と解することができる。
【００２７】
また、第１脚部４１（方向変換部４１ａ）の先端部４１ｂの端面４１ｄと、第２脚部４２の突出部４２ｃの端面４２ｅとが方向変換部４１ａ，４２ａの膨出方向において、底壁部２１外面に平行な糸底面として形成されるスカート部２４の先端（端面２４ａ）を含む平面よりも下方に突出して形成されている。具体的には、その突出量Δｄが共通しており、収容箱１を床などの平坦な面に安定して載置することができる。なお、突出部４２ｃは、２Δｄの高さで形成することが好ましい。すなわち、スカート部２４の端面２４ａを基準として、第１脚部４１（方向変換部４１ａ）の先端部４１ｂの突出量Δｄと、方向変換部４２ａ（第２脚部４２）の先端部４２ｂの端面４２ｄから該基準までの距離Δｄを等しくすることが好ましい。これにより、後述するが２個の収容箱１を背中合わせ状で重ね合わせた時に、第１脚部４１の端面４１ｄと第２脚部４２の端面４２ｄとが当接し、かつスカート部２４の端面２４ａ同士が当接するため接触面積が大きくなり、姿勢を安定させることができる。
【００２８】
図１ないし図６に戻り、把手部３，３は、収容部２の第１周壁部２２ａの上縁から外側に延出する把手本体３１，３１と、その第１周壁部２２ａ外面から把手本体３１下面に跨り把手本体３１を補強する補強部３２と、その補強部３２に下方から嵌め込まれる握り部３３とを備えている。収容部２の周壁部２２の開口縁を含む周縁部（本実施形態においては把手本体３１の上面）には、４隅で対角的に対をなす係合凸部５１（第一の係合部）の組と係合凹部５２（第二の係合部）の組とが都合２組形成されている（以下、まとめて係合部５ともいう）。
【００２９】
具体的には、図５に示すように、平面視（開口側）における把手本体３１上面を含む平面上で例えば点Ｏ１で交差する一対の仮想直線Ｖ，Ｗ上に、その交差位置（点Ｏ１）を挟み交差位置までの離間距離（Ｏ１Ｐｖ間の距離ｄｖ，Ｏ１Ｐｗ間の距離ｄｗ）をすべて等しく（ｄｖ＝ｄｗ）するそれぞれの位置において係合部５（係合凸部５１，係合凹部５２）が配置されている。また、見方を換えれば、平面視（開口側）における把手本体３１上面を含む平面上に設定された定点Ｏ１から等距離ｄｖ，ｄｗ（ｄｖ＝ｄｗ）にある２点と、その定点Ｏ１に関して点対称となる各点とを仮想直線Ｖ，Ｗ上で交差位置を挟むそれぞれの点Ｐｖ，Ｐｗ位置において係合部５（係合凸部５１，係合凹部５２）が配置されている。
【００３０】
係合凸部５１は、上記仮想直線Ｖ上で点Ｏ１を挟む位置で対をなして配置され、その把手本体３１上面から高さ方向に沿って所定高さまで突出する円柱形態をなして形成されている。図１０に示すように、その突出する先端の端面５１ａは、把手本体３１の上面に平行な平坦面として形成されている。把手本体３１の下面には係合凸部５１に対応する位置に凹部５１ｂが設けられ、係合凸部５１を均等な肉厚で形成している。これにより、収容箱１を合成樹脂で一体成形する場合にも、合成樹脂が冷却固化する際の係合凸部５１の収縮を均一化することができ、ひけ等が発生し難い。
【００３１】
係合凹部５２は、上記仮想直線Ｗ上で点Ｏ１を挟む位置で対をなして配置され、その把手本体３１上面から高さ方向に沿って所定高さまで突出する円筒形態をなして形成されている。具体的には、図１０に示すように、係合凹部５２は、係合凸部５１の先端の外周形状を含む内周形状となる開口を有し、かつ係合凸部５１の把手本体３１の上面からの突出高さと同等の段差部５２ｂが内側に形成されるように高さ方向に沿って環状部５２ａが突出形成されている。なお、本実施形態においては、段差部５２ｂの底面が把手本体３１の上面と同一平面をなすように形成されているため、言い換えれば、係合凸部５１と係合凹部５２（環状部５２ａ）とがその突出高さを同じくしている。これにより、係合凸部５１及び係合凹部５２は、共に把手本体３１の上面から突出する形で形成されているので、把手部３，３としての強度を損ねることがなく、自由度を持たせて配置決めすることができる。
【００３２】
また、係合凹部５２の段差部５２ｂによる開口は、係合凸部５１の外径よりも大きい内径で形成されており、環状部５２ａの先端の端面５２ｃは、把手本体３１の上面に平行な平坦面として形成されている。これにより、後述するが２個の収容箱１を合掌状で重ね合わせた時に、係合凸部５１の端面５１ａと係合凹部５２の段差部５２ｂの底面とが当接し、かつ係合凹部５２における環状部５２ａの端面５２ｃと係合凸部５１を取り囲む把手本体３１の上面３１ａとが当接するため、ガタなどの発生を抑制又は防止することができる。なお、本考案において把手本体３１の上面に平行とは、収容箱１を水平な面に載置したときに、その水平面と把手本体３１の上面が平行である場合をいい、把手本体３１上面が傾斜した場合には必ずしも平行というものではなく、換言すれば、上記水平な面に平行と解することができる。
【００３３】
図１ないし図６に戻り、補強部３２，３２は、底壁部２１の幅方向（前後方向）に所定間隔離れた位置で対をなしてリブ形状で形成され、第１周壁部２２ａ外面から把手本体３１下面に跨り把手本体３１の側縁から垂れ下がる側壁部３４の両端に連結するように一体形成されている。また、側壁部３４から離間した位置で対をなす補強部３２，３２を連結する区画壁３５が設けられ、これら補強部３２，３２、側壁部３４及び区画壁３５によって囲まれた空間内に握り部３３が下方から嵌め込まれる。なお、補強部３２，３２には、係止孔３６，３６が形成されており、握り部３３はその係止孔３６に対応する係止部３３ａ，３３ａを有し、その係止部３３ａが係止孔３６に係合するように嵌め込まれている。これにより、遊技者や従業員などの利用者は、握り部３３を介して収容箱１をしっかりと握ることができるので、その収容箱１を安定して持ち運ぶことができる。
【００３４】
次に、本考案の実施形態における使用状態の一例について説明する。図１１及び図１２は、本考案の実施形態に係る使用状態の一例を示す斜視図、同正面図、図１３は、図１２における断面図である。図１１及び図１２に示すように、２個の遊技球収容箱を収容部２の底壁部２１が互いに対向するように背中合わせ状に重ね合わせることができる。なお、上側に配置される遊技球収容箱（以下、単に収容箱ともいう）を１Ａ、下側に配置される遊技球収容箱（以下、単に収容箱ともいう）を１Ｂとする。
【００３５】
まず、パチンコ遊技場などの図示しない床面等に収容箱１Ｂを収容部２の開口（上側）を伏せて載置する。このとき、把手本体３１の上面には、その上面からの高さを共通にする係合部５（係合凸部５１，係合凹部５２）が形成されているので、その４隅に配置される係合部５が脚部の役割を担い、収容部２の周壁部２２上縁及び把手部３の把手本体３１上面が床面から離間した状態で収容箱１Ｂを載置することができる。これにより、係合部５の先端のみが床面等と接触するので、周壁部２２上縁及び把手本体３１上面がキズつく恐れがない。
【００３６】
続いて、底壁部２１を上向きにして載置された収容箱１Ｂの上に、例えば玉が満杯に貯留された収容箱１Ａを把手部３，３が対応する向きで互いの底壁部２１が対向するように載置する。このとき、図１３に示すように、収容箱１Ａの第１脚部４１と収容箱１Ｂの第２脚部４２とが係合されるとともに、収容箱１Ａの第２脚部４２と収容箱１Ｂの第１脚部４１とが係合されて背中合わせ状に重ね合わせることができ、収容箱１Ａの収容部２に玉を貯留した状態で保持することができる。なお、脚部４は上記したようにそれぞれ定点Ｏ２に関して点対称となるように配置されているので、収容箱１Ａを１８０度向きを変えても同様に収容箱１Ｂの上に載置することができる。
【００３７】
具体的には、２個の収容箱１Ａ，１Ｂの双方の第１脚部４１の先端部に形成された貫通孔４１ｃに第２脚部４２に形成された突出部４２ｃが挿入されて位置決めされるので、容易に重ね合わせることができる。また、平坦面として形成された双方の方向変換部４１ａ（第１脚部４１）の先端部４１ｂの端面４１ｄと方向変換部４２ａ（第２脚部４２）の先端部４２ｂの端面４２ｄとが当接し、互いのスカート部２４，２４の端面２４ａ，２４ａが当接しているので、収容箱１Ａは収容箱１Ｂの上に安定して載置することができる。これにより、玉が満杯の収容箱を床上より一段高い位置に配置することができるので、遊技者又は従業員がその箱を持ち上げるのに際し腰等の負担を軽減することができる。ひいては、一段高い位置に配置されるので、遊技場のデコレーション効果となり、集客につながる。なお、収容箱を複数用意するだけで、上記作用効果を得ることができ、別個台などを必要としないためコスト高になる恐れがない。換言すれば、収容箱は、２個で一組の遊技球収容箱ユニット（遊技媒体収容箱ユニット）として構成されている。
【００３８】
次に、本考案の実施形態の使用状態の別の例について説明する。図１４及び図１５は、本考案の実施形態に係る使用状態の別の例を示す斜視図、同正面図、図１６は、図１５における断面図である。図１４及び図１５に示すように、２個の遊技球収容箱を把手部３が互いに対向するように合掌状に重ねあわせることができる。なお、上側に配置される遊技球収容箱（以下、単に収容箱ともいう）を１Ｃ、下側に配置される遊技球収容箱（以下、単に収容箱ともいう）を１Ｄとする。
【００３９】
まず、パチンコ遊技場などの図示しない床面等に例えば玉が満杯に貯留された収容箱１Ｄを収容部２の開口が上方を向くように載置する。このとき底壁部２１の外面（下面）には、その外面からの高さを共通にする脚部４（第１脚部４１，第２脚部４２）がスカート部２４から突出して形成されているので、そのスカート部２４の端面２４ａが床面から離間した状態で収容箱１Ｄを載置することができる。これにより、脚部４の先端のみが床面等と接触するので、スカート部２４の端面２４ａがキズつく恐れがない。
【００４０】
続いて、収容部２の開口を上向きにして載置された収容箱１Ｄの上に、収容箱１Ｃを収容部２の開口を伏せた状態で把手部３，３が対応する向きでその把手部３，３が対向するように載置する。このとき、図１６に示すように、収容箱１Ｃの係合凸部５１と収容箱１Ｄの係合凹部５２とが係合されるとともに、収容箱１Ｃの係合凹部５２と収容箱１Ｄの係合凸部５１とが係合されて合掌状に重ね合わせることができ、収容部２に玉を貯留した収容箱１Ｄに蓋をした状態で保持することができる。なお、係合部５は上記したようにそれぞれ定点Ｏ１に関して点対称となるように配置されているので、収容箱１Ｃを１８０度向きを変えても同様に収容箱１Ｄの上に載置することができる。
【００４１】
具体的には、２個の収容箱１Ｃ，１Ｄの双方の係合凹部５２に形成された段差部５２ｂにおける開口に係合凸部５１が挿入されて位置決めされるので、容易に重ね合わせることができる。また、平坦面として形成された双方の係合凸部５１の端面５１ａと係合凹部５２の段差部５２ｂの底面とが当接し、かつ環状部５２ａの端面５２ｃと係合凸部５１を取り囲む把手本体３１の上面とが当接しているので、収容箱１Ｃは収容箱１Ｄの上に安定して載置することができる。これにより、収容箱１Ｃが収容箱１Ｄの蓋の役割を担い、持ち運ぶ際に球こぼれ等を抑制又は防止することができる。また、パチンコ遊技場で床等に載置しておく場合に蓋をしておくことで、球泥棒対策となり、安心できる。ひいては、上記説明したように収容箱１Ｃと背中合わせ状で収容箱をさらに積むことができるので、遊技場のデコレーション効果となり、集客につながる。
【００４２】
次に、上記した実施形態における方向変換部の別の態様について説明する。図１７，１８は、方向変換部の別の例を示す図であり、図９に対応している。なお、以下の説明では、上述した実施形態と異なる部分について主に述べ、重複する部分については同番号を付して説明を省略又は簡略化する。図１７に示すように、上述した実施形態に設けられる各脚部における方向変換部の変形例１として、遊技球収容箱１００において、方向変換部４１０，４２０が、縦断面で円弧状（曲線状）をなし、底壁部２１を基端側として先端側に向かうにつれて縮径するように形成されている。これにより、方向変換部４１０，４２０によって形成される内部側の窪みの容積が大きくなり、多くの玉を流れ込ませることができる。
【００４３】
また、図１８に示すように、上述した実施形態に設けられる方向変換部の変形例２として、遊技球収容箱１０１において、第２脚部４２の方向変換部４２１の先端を突出部４２ｃとして一体的に形成することができる。すなわち、第２脚部４２の方向変換部４２１は、突出部４２ｃの先端の外周形状が第１脚部４１に形成される貫通孔４１ｃの内周形状に含まれる形で構成され、底壁部２１を基端側として先端側に向かうにつれて連続的に縮径して形成されている。これにより、突出部４２ｃ（方向変換部４２１）の先端が貫通孔４１ｃ（他方の収容箱）に挿入されると、貫通孔４１ｃの内周に方向変換部４２１の外周が当接する位置で保持することができる。
【００４４】
図２０は、本考案の別の実施形態１における遊技球収容箱（遊技媒体収容箱）を示す平面図である。この実施形態に係る収容箱１０５は、収容部２の第２周壁部２２ｂ，２２ｂの上縁から外側に延出し、把手本体３１と一体形成される幅広部（周縁部）３０を備えている。そして、幅広部３０の上面には、係合凸部５１及び係合凹部５２がそれぞれ対角的に対をなして形成されている。これにより、係合凸部５１及び係合凹部５２は、把手本体３１の上面に限ることなく、収容部２の開口縁を含む周縁部において、その周縁部の強度を確保するとともに、形成位置の自由度を持たせて形成することができる。
【００４５】
図２１は、本考案の別の実施形態２における遊技球収容箱（遊技媒体収容箱）を示す平面図及び断面図である。この実施形態に係る収容箱１０６は、別の実施形態１に係る収容箱１０５の係合凹部５２の換わりに、図２１（Ａ）に示すように、幅広部３０の表面から陥没する陥没部５３ａ（係合凹部５３）が形成されている。これにより、陥没部５３ａにより段差部５３ｂ（凹部）が形成されており（図２１（Ｂ）参照）、２個の収容箱を上記合掌状に重ね合わせたときに、一方（他方）の係合凸部５１を他方（一方）の段差部５３ｂの開口に挿入して係合することができる。ひいては、係合凹部５３が幅広部３０の表面から突出していないので、２個の収容箱の幅広部３０及び把手本体３１の上面同士が互いに当接するため接触面積が大きくなり、重ね合わせ状態が安定する。なお、この実施形態において陥没部５３ａは有底形態（換言すれば下方に突出形成された形態）で構成されているが、幅広部３０を単に厚さ方向に貫通して形成してもよい。その場合にも、２個の収容箱を重ね合わせたときにその陥没部の孔に係合凸部５１を挿入して係合することができる。
【００４６】
なお、図１８の方向変換部は、底に孔の開いた袋形状に形成されている。このように、方向変換部は底壁部の一部を袋状に膨出させることにより形成されるが、図１８に示すように、方向変換部の全体が底壁部に等しい厚みの壁を有していなくとも良い。
【００４７】
また、本考案の実施形態として脚部４及び係合部５は平面視（底面視）で円形形状で説明したが、これに限定するものではなく、図１９に示すように、遊技球収容箱１０２ないし１０４における第１脚部４１２ないし４１４，第２脚部４２２ないし４２４，係合凸部５１２ないし５１４，係合凹部５２２ないし５２４の如く三角形状、四角形状、楕円形状など種々の変更が可能であり、実用新案登録請求の範囲の趣旨を逸脱しない限りにおいて、目的、用途に応じて当業者の知識に基づく種々の変更が可能である。
【図面の簡単な説明】
【００４８】
【図１】本考案の実施形態に係る遊技球収容箱を上から見た斜視図。
【図２】本考案の実施形態に係る遊技球収容箱を下から見た斜視図。
【図３】本考案の実施形態に係る遊技球収容箱を示す正面図。
【図４】本考案の実施形態に係る遊技球収容箱を示す側面図。
【図５】本考案の実施形態に係る遊技球収容箱を示す平面図。
【図６】本考案の実施形態に係る遊技球収容箱を示す底面図。
【図７】図５の切断位置に対応するＡ−Ａ断面拡大図。
【図８】図５の切断位置に対応するＢ−Ｂ断面拡大図。
【図９】図５の切断位置に対応するＣ−Ｃ断面拡大図。
【図１０】図５の切断位置に対応するＤ−Ｄ断面拡大図。
【図１１】本考案の実施形態に係る使用状態の一例を示す斜視図。
【図１２】本考案の実施形態に係る使用状態の一例を示す正面図。
【図１３】図１２の切断位置に対応するＥ−Ｅ断面拡大図。
【図１４】本考案の実施形態に係る使用状態の別の例を示す斜視図。
【図１５】本考案の実施形態に係る使用状態の別の例を示す正面図。
【図１６】図１５の切断位置に対応するＦ−Ｆ断面拡大図。
【図１７】方向変換部の別の例１を示す断面拡大図。
【図１８】方向変換部の別の例２を示す断面拡大図。
【図１９】方向変換部及び係合部の別の例を示す平面図。
【図２０】別の実施形態１に係る遊技球収容箱を示す平面図。
【図２１】別の実施形態２に係る遊技球収容箱を示す平面図、断面図。
【符号の説明】
【００４９】
１，１Ａ，１Ｂ，１Ｃ，１Ｄ，１００，１０１，１０２，１０３，１０４，１０５，１０６  遊技球収容箱（遊技媒体収容箱）
２    収容部
３    把手部
４    脚部
５    係合部
２１  底壁部
２２  周壁部
２３  環状内溝
２４  スカート部
３１  把手本体
３２  補強部
３３  握り部
４１  第１脚部
４１ａ，４２ａ  方向変換部
４１ｃ  貫通孔（アース用孔）
４２  第２脚部
４２ｃ  突出部
５１  係合凸部
５２，５３  係合凹部
５２ａ  環状部
５２ｂ  段差部
【図１】
0003127961.tif 000003
【図２】
0003127961.tif 000004
【図３】
0003127961.tif 000005
【図４】
0003127961.tif 000006
【図５】
0003127961.tif 000007
【図６】
0003127961.tif 000008
【図７】
0003127961.tif 000009
【図８】
0003127961.tif 000010
【図９】
0003127961.tif 000011
【図１０】
0003127961.tif 000012
【図１１】
0003127961.tif 000013
【図１２】
0003127961.tif 000014
【図１３】
0003127961.tif 000015
【図１４】
0003127961.tif 000016
【図１５】
0003127961.tif 000017
【図１６】
0003127961.tif 000018
【図１７】
0003127961.tif 000019
【図１８】
0003127961.tif 000020
【図１９】
0003127961.tif 000021
【図２０】
0003127961.tif 000022
【図２１】
0003127961.tif 000023
【手続補正書】
【提出日】平成18年10月23日(2006.10.23)
【手続補正１】
【補正対象書類名】実用新案登録請求の範囲
【補正対象項目名】請求項５
【補正方法】変更
【補正の内容】
【請求項５】
前記第一の係合部に形成された係合凸部と前記第二の係合部に形成された係合凹部とを係合することにより、前記２個の遊技媒体収容箱が合掌状に組合せられている請求項４に記載の遊技媒体収容箱ユニット。